(57)【要約】無線通信システムは、第二局から第一局へのデータ送信用の通信チャネルを含む。第二局は、第一（通常）及び第二（ゲート）のモードで作動可能であり、第二のモードでは送信されるデータ量が低減される。第二局は、上記チャネルに適用可能なトランスポート形式に関する情報を提供する符号化されたワードを生成し、この符号化されたワードを繰り返し第一局へ送信する。各動作モードにおいて、異なる符号化スキームを用いて、上記符号化されたワードが生成されるため、該符号化されたワードを切断する場合よりもゲート・モードにおけるパフォーマンスを改善することができる。一実施形態において、データ送信は、フレーム単位で行われ、各フレームは複数のタイムスロットを有し、上記復号化されたワードはフレームごとに一度送信される。ゲート・モードにおいて、送信はタイムスロットごとには行われず、上記復号化されたワードは、通常モードで送信されるものに比してパンクチャードされている。
2004529564.tif 000002
【特許請求の範囲】
【請求項１】
第二局から第一局へのデータ送信用の通信チャネルを含む無線通信システムであり、
前記第二局は、第一（通常）及び第二（ゲート）のモードで作動可能であり、前記チャネルに適用可能なトランスポート形式に関する情報を提供する符号化されたワードを繰り返し送信する手段と、前記第一のモードで作動中に送信された情報量に比して低減された情報量を前記第二のモードで作動中に送信する手段と、を有し、
前記第一局は、前記コードワードを受信し、復号する手段を有する、システムであって、
前記第二局は、前記モードのそれぞれにおいて、前記符号化されたワードを生成するのに異なる符号化スキームを用いる手段を有し、
前記第一局は、前記第二局の現在の作動モードに応じて２つの異なる復号スキームの中から１つを選択し、この選択された復号スキームを用いて前記復号化されたワードを復号する手段を有する、ことを特徴とするシステム。
【請求項２】
請求項１記載のシステムであって、
前記第二局は、前記第一のモード中に用いられる符号化スキームによって生成されるコードワードのパンクチャード・バージョンであるコードワードを生成する符号化スキームを前記第二のモード中に用いる手段を有する、ことを特徴とするシステム。
【請求項３】
第二局から第一局へのデータ送信用の通信チャネルを含む無線通信システムで用いられる第一局であって、
前記チャネルに適用可能なトランスポート形式に関する情報を提供する符号化されたワードを繰り返し前記第二局から受信し、該第二局が第一（通常）又は第二（ゲート）のいずれのモードで作動しているかを判断し、前記第二局の現在の作動モードに応じて２つの異なる復号スキームの中から１つを選択し、この選択された復号スキームを用いて前記復号化されたワードを復号する手段を有する、ことを特徴とする第一局。
【請求項４】
第二局から第一局へのデータ送信用の通信チャネルを含む無線通信システムにおいて用いられ、
第一（通常）及び第二（ゲート）のモードで作動可能であり、
前記チャネルに適用可能なトランスポート形式に関する情報を提供する符号化されたワードを繰り返し送信する手段と、
前記第一のモードで作動中に送信された情報量に比して低減された情報量を前記第二のモードで作動中に送信する手段と、を有する第二局であって、
前記モードのそれぞれにおいて、前記符号化されたワードを生成するのに異なる符号化スキームを用いる手段を有する、ことを特徴とする第二局。
【請求項５】
請求項４記載の第二局であって、
前記第一のモード中に用いられる符号化スキームによって生成されるコードワードのパンクチャード・バージョンであるコードワードを生成する符号化スキームを前記第二のモード中に用いる手段を有する、ことを特徴とする第二局。
【請求項６】
請求項４又は５記載の第二局であって、
前記第二のモードの作動中に利用可能なトランスポート形式の数を採用された符号化スキームによって生成可能な固有のコードワード数までに制限する手段を有する、ことを特徴とする第二局。
【請求項７】
第二局から第一局へのデータ送信用の通信チャネルを含む無線通信システムの作動方法であり、
前記第二局は、第一（通常）及び第二（ゲート）のモードで作動可能であり、前記チャネルに適用可能なトランスポート形式に関する情報を提供する符号化されたワードを繰り返し送信すると共に、前記第一のモードで作動中に送信された情報量に比して低減された情報量を前記第二のモードで作動中に送信し、
前記第一局は、前記コードワードを受信し、復号する、方法であって、
前記第二局は、前記モードのそれぞれにおいて、前記符号化されたワードを生成するのに異なる符号化スキームを用い、
前記第一局は、前記第二局の現在の作動モードに応じて２つの異なる復号スキームの中から１つを選択し、この選択された復号スキームを用いて前記復号化されたワードを復号する、ことを特徴とする方法。
【請求項８】
請求項７記載の方法であって、
前記第二局は、前記第一のモード中に用いられる符号化スキームによって生成されるコードワードのパンクチャード・バージョンであるコードワードを生成する符号化スキームを前記第二のモード中に用いる、ことを特徴とする方法。
【請求項９】
請求項８記載の方法であって、
前記第二局は、複数の異なる情報レートで作動可能であり、
より低い情報レート用の符号化スキームは、より高い情報レート用に生成されたコードワードの切断されたバージョンであるコードワードを生成する、ことを特徴とする方法。
【請求項１０】
請求項８又は９記載の方法であって、
前記パンクチャリング・パターンは、前記第一のモード中に利用可能なコードワード群より少ないコードワード群におけるコードワード間の距離を最大にするようにアレンジされる、ことを特徴とする方法。
【請求項１１】
請求項１０記載の方法であって、
前記第二のモードの作動中にはそれぞれが異なるコードワードによって表される２つのトランスポート形式の組み合わせしか使用可能でなく、
前記パンクチャリング・スキームは、前記コードワードの全ビットを異ならせる、ことを特徴とする方法。
【請求項１２】
請求項８又は９記載の方法であって、
前記パンクチャリング・パターンは、コードワード間の距離が最小となるコードワードの数を最小限に抑えるようにアレンジされる、ことを特徴とする方法。
【発明の詳細な説明】
【技術分野】
【０００１】
本発明は、無線通信システム、該システムにおいて用いられる第一及び第二局、及び該システムをオペレートする方法に関する。本明細書は、特に既存のユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ；ＵＭＴＳ）を参照してシステムの説明をしているが、このような技術は他の移動無線システムでの使用にも等しく適用可能であることは明らかである。
【背景技術】
【０００２】
無線通信システムにおける継続的な要求は、モバイル端末の電力消費を抑えることによって、バッテリーの寿命を延ばす（又は、必要とされるバッテリー容量を減らす）ことである。これが関連してくるのは、例えば、モバイル端末が無線チャネルを通じて別の局へパケット・データを送信しているときに、パケットの断続送信が存在し、該パケット・データが該チャネルの使用可能容量の一部しか使えない、といった場面である。このような場面では、モバイル端末は、通常、該チャネルをオープンしたままで保つために、残りの局へ制御情報を送信し続けることが必要である。しかし、このような制御情報の送信により、ユーザ・データのみを送信する場合に比して大幅に電力が消費されるおそれがある。
【０００３】
この問題は、例えば我々の国際特許出願ＷＯ００／４２８０４に開示したように、ゲート・モード（ｇａｔｅｄ  ｍｏｄｅ）の開発によって、ＵＭＴＳにおいて解決されてきている。通常のパケット・データ接続に対して、（パイロット情報、電力制御コマンド、及び、トランスポート形式インジケータから成る）制御チャネルは、パケットが到着したときに該パケットを素早く送信するのを促進するために、連続的に送信される。ゲート・モードでは、この制御チャネルは、データ送信中でない時、一フレームのタイムスロットの一部（本提案では１／３又は１／５）でしか送信されない。このゲート・モードは、モバイル端末の電力消費を低減すると共に、干渉レベルも低減するため、システムの収容能力を増やすことも可能にする。
【０００４】
最初に提案されたように、ゲート・モードのオペレーション中には、制御チャネルに関連したデータ・チャネルは送信されない。しかし、実際には、ゲート・モード中にも一部のデータ・チャネルについては（例えば、許容可能な電力制御を維持するために）送信が要求される可能性があることが明らかになっている。ゲート・モード中にデータ・チャネルの送信を可能にすることに伴う問題は、ゲート制御チャネルがデータ・チャネル用のトランスポート形式の通常の範囲を示すのに十分な容量を持っていないことである。
【０００５】
（発明の開示）
本発明の目的は、ゲート・モード中にトランスポート形式を伝達する問題を解決することである。
【０００６】
本発明の第一の態様によれば、第二局から第一局へのデータ送信用の通信チャネルを含む無線通信システムであり、前記第二局は、第一（通常）及び第二（ゲート）のモードで作動可能であり、前記チャネルに適用可能なトランスポート形式に関する情報を提供する符号化されたワードを繰り返し送信する手段と、前記第一のモードで作動中に送信された情報量に比して低減された情報量を前記第二のモードで作動中に送信する手段と、を有し、前記第一局は、前記コードワードを受信し、復号する手段を有する、システムであって、前記第二局は、前記モードのそれぞれにおいて、前記符号化されたワードを生成するのに異なる符号化スキームを用いる手段を有し、前記第一局は、前記第二局の現在の作動モードに応じて２つの異なる復号スキームの中から１つを選択し、この選択された復号スキームを用いて前記復号化されたワードを復号する手段を有する、システムが提供される。
【０００７】
通常モード及びゲート・モードにおいて異なる符号化スキームを用いることにより、ゲート・モード中のトランスポート形式の伝達を改善することができる。一実施形態において、ゲート・モード中に用いられる符号化スキームは、通常モード・スキームによって生成されるコードワードのパンクチャード・バージョン（ｐｕｎｃｔｕｒｅｄ  ｖｅｒｓｉｏｎ）であるコードワードを生成する。広範なパンクチャリング・スキーム（ｐｕｎｃｔｕｒｉｎｇ  ｓｃｈｅｍｅ）を用いることができ、（通常モードにおいて利用可能なコードワード群より少ない）コードワード群におけるコードワード間の距離を最大化するスキーム、又は、コードワード間の距離が最小となるコードワードの数を最小とするスキームが好ましい。複数のゲート率が可能であり、よってゲート・モード中の情報送信レートの低減に幅があるとき、より低い情報レート用の符号化スキームは、より高い情報レート用に生成されたコードワードの切断されたバージョンであるコードワードを生成することができるため、有益的である。
【０００８】
１つの好ましい実施形態において、ゲート・モード中には２つのトランスポート形式しか使用可能でなく、各形式を表すコードワードは、それらのビットすべてが異なる（例えば、一方はすべてのビットが０であり、他方はすべてのビットが１であるように設定される）。一般的に、ゲート・モードにおいて使用可能なトランスポート形式の数は、用いられる符号化スキームによって生成可能な固有のコードワード数までに制限できるため、有益的である。
【０００９】
本発明の第二の態様によれば、第二局から第一局へのデータ送信用の通信チャネルを含む無線通信システムで用いられる第一局であって、前記チャネルに適用可能なトランスポート形式に関する情報を提供する符号化されたワードを繰り返し前記第二局から受信し、該第二局が第一（通常）又は第二（ゲート）のいずれのモードで作動しているかを判断し、前記第二局の現在の作動モードに応じて２つの異なる復号スキームの中から１つを選択し、この選択された復号スキームを用いて前記復号化されたワードを復号する手段を有する、第一局が提供される。
【００１０】
本発明の第三の態様によれば、第二局から第一局へのデータ送信用の通信チャネルを含む無線通信システムにおいて用いられ、第一（通常）及び第二（ゲート）のモードで作動可能であり、前記チャネルに適用可能なトランスポート形式に関する情報を提供する符号化されたワードを繰り返し送信する手段と、前記第一のモードで作動中に送信された情報量に比して低減された情報量を前記第二のモードで作動中に送信する手段と、を有する第二局であって、前記モードのそれぞれにおいて、前記符号化されたワードを生成するのに異なる符号化スキームを用いる手段を有する、第二局が提供される。
【００１１】
本発明の第四の態様によれば、第二局から第一局へのデータ送信用の通信チャネルを含む無線通信システムの作動方法であり、前記第二局は、第一（通常）及び第二（ゲート）のモードで作動可能であり、前記チャネルに適用可能なトランスポート形式に関する情報を提供する符号化されたワードを繰り返し送信すると共に、前記第一のモードで作動中に送信された情報量に比して低減された情報量を前記第二のモードで作動中に送信し、前記第一局は、前記コードワードを受信し、復号する、方法であって、前記第二局は、前記モードのそれぞれにおいて、前記符号化されたワードを生成するのに異なる符号化スキームを用い、前記第一局は、前記第二局の現在の作動モードに応じて２つの異なる復号スキームの中から１つを選択し、この選択された復号スキームを用いて前記復号化されたワードを復号する、方法が提供される。
【００１２】
本発明は、通常モード及びゲート・モードにおいて異なる符号化スキームを用いることによって、ゲート・モード中のトランスポート形式の伝達を改善することができる、という従来技術には存在しない認識に基づいている。
【発明を実施するための最良の形態】
【００１３】
ここで、本発明の実施形態の一例を添付図面を参照しながら説明する。
【００１４】
図１において、無線通信システムは、第一局（ＢＳ）１００と、複数の第二局（ＭＳ）１１０とを有する。ＢＳ１００は、マイクロコントローラ（μＣ）１０２と、アンテナ手段１０６に接続された送受信手段（Ｔｘ／Ｒｘ）１０４と、送信電力レベルを変える電力制御手段（ＰＣ）１０７と、ＰＳＴＮ又は他の適当なネットワークと接続するための接続手段１０８とを有する。各ＭＳ１１０は、マイクロコントローラ（μＣ）１１２と、アンテナ手段１１６に接続された送受信手段（Ｔｘ／Ｒｘ）１１４と、送信電力レベルを変える電力制御手段（ＰＣ）１１８とを有する。ＢＳ１００からＭＳ１１０への通信は、ダウンリンク・チャネル１２２上で行われ、ＭＳ１１０からＢＳ１００への通信はアップリンク・チャネル１２４上で行われる。
【００１５】
周波数分割多重モードであるＵＭＴＳの一実施形態は、ＭＳ１１０からＢＳ１００へパケット・データを送信するのに図２に示すチャネル配置を用いる。そこには、２つの制御チャネル（ＣＯＮ）（アップリンク制御チャネル２０２及びダウンリンク制御チャネル２０４）と、アップリンク・データ・チャネル（ＤＡＴ）２０６と、がある。チャネル２０２、２０４、２０６の各々での送信は、タイムスロット２０８において行われる。タイムスロット２０８は、フレーム２１０としてグループ化されている。一フレームは、１５タイムスロットである。１以上のトランスポート・チャネルは、システムによって一体に多重化され、１つのデータ・チャネル２０６とされる。
【００１６】
制御チャネル２０２、２０４は、パイロット情報、電力制御情報、及び、トランスポート形式情報、を含む。パイロット情報の主な役割は、受信器がチャネルのインパルス応答を推定して受信データ（すなわち、制御チャネルの他の情報、及び、存在するならばデータ・パケット）の検出を最適化できるようにすることである。ＢＳ１００が、各ＭＳ１１０が必要とする送信電力を維持しつつ、異なるＭＳ１１０から十分な受信ＳＩＲ（信号対雑音比）で信号を受信できるように、アップリンク・チャネル１２４の電力制御が必要である。また、ＭＳ１１０が、送信電力を抑えつつ、ＢＳ１００から低い誤り率で信号を受信し、他のセルや無線システムとの干渉を低減できるように、ダウンリンク・チャネル１２２の電力制御も必要である。チャネル１２２、１２４の各々の電力制御は、インナー・ループ及びアウター・ループを用いる。インナー・ループは、受信ＳＩＲが目標ＳＩＲに一致するように調整するものであり、アウター・ループは、目標ＳＩＲを要求されるサービス品質（例えば、ビット誤り率）を維持するための最低限のレベルへ向けて調整するものである。
【００１７】
トランスポート形式情報は、伴うデータ・チャネル上でのデータのレート及び送信形式の詳細を提供し、送受信機１０４、１１４が適切に設定されることを可能にする。ＵＭＴＳシステムにおいて、この情報は、データ・チャネル２０６に関連した制御チャネル２０２上のＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）ワードの送信によって提供される。このＴＦＣＩワードは、１０ビットの情報ワードとして物理層に供給され、次いで、３２、１０ブロック・コードを用いて、３２ビット・ワードへ符号化される。このワード内の２ビットが各タイムスロット２０８において送信され、符号化されたＴＦＣＩワードのうちの３０ビットが各フレームで送信され、２ビットが送信されずに残る。
【００１８】
ＭＳ１１０が送信すべき十分なデータを持っていない場合、データ・パケットの送信と送信の間に間隔が生じ得る。通常、制御チャネル２０２、２０６は、データ・パケットが到着した時に迅速に送信することを促進するために、間隔を空けずに連続的に送信される。しかし、これは電力の浪費であり、有用なデータが何ら送信されていないのに干渉を生成してしまうため、システムの収容能力とＭＳ１１０のバッテリー寿命を低減させる。
【００１９】
この問題を解決するために、ゲート・モード（ｇａｔｅｄ  ｍｏｄｅ）が提案された（例えば、ＷＯ００／４２８０４参照）。このゲート・モードでは、各フレーム２１０においてアップリンク制御チャネル２０２送信用のタイムスロット２０８の数が１／３〜１／５に減らされている。各フレーム２１０において送信されたスロット２０８の実際の位置は、断続的な送信によって生成され得る電磁妨害を緩和するために、擬似ランダム関数に従って計算される。ダウンリンク制御チャネル２０４は、変更されずそのままでもよく、或いは、同様に、ゲート・モード中に使用可能なタイムスロット２０８の一部で送信されてもよい。
【００２０】
このスキームの結果として、ゲート・モードのオペレーション中、符号化されたＴＦＣＩビットの送信に使用可能な各フレーム２１０におけるビット数は、６ビット（ゲート率１／５の場合）〜１０ビット（ゲート率１／３の場合）に減少する。ゲート・モード中にデータ・チャネル２０６上で送信は行われないこと（及び、故に、データ・トランスポート・ブロックが全くなし、というトランスポート形式の組み合わせ（ＴＦＣ：Ｔｒａｎｓｐｏｒｔ  Ｆｏｒｍａｔ  Ｃｏｍｂｉｎａｔｉｏｎ）だけ）は元より想像されていたため、このＴＦＣＩビット用の容量を低減したことは問題ではなかった。
【００２１】
アウター・ループ電力制御は、通常、データ・チャネル２０６上のトランスポート・ブロックに添付されたＣＲＣ（Ｃｙｃｌｉｃ  Ｒｅｄｕｎｄａｎｃｙ  Ｃｈｅｃｋ）の誤り率に基づいて行われる。データ・チャネル２０６の送信無しでゲート・モード中のアウター・ループ電力制御を維持するための１つのオプションは、データＣＲＣの代わりに制御チャネル２０２のビット誤り率（ＢＥＲ）を用いることである。しかし、制御チャネルＢＥＲに基づくアウター・ループ電力制御の性能は十分でないことが最近分かってきている。
【００２２】
この問題に対する解決策は、制御チャネル２０２が送信されたときに、同じスロット２０８で、長さ０のトランスポート・ブロックにＣＲＣを添付することによって、データ・チャネル２０６上でＣＲＣだけを送信することである。ゲート・モード中に送信される様々な異なるＴＦＣの可能性を広げる。データ・チャネル２０６にマッピングされたトランスポート・チャネルの一部又は全部上でトランスポート・ブロック無し又は長さ０のトランスポート・ブロックを任意に並べたものが考えられる。実際には、許容できるＴＦＣは、おそらく、これらオプションの中の一部に限られるであろうが、最低限は、トランスポート・ブロックが０の場合についての一ＴＦＣと、ＣＲＣが添付されるいくつかの長さ０のトランスポート・ブロックを含む別の一ＴＦＣとである可能性が高い。
【００２３】
上述のようなＴＦＣＩ符号化スキームを用いると、３２ビットの物理層ＴＦＣＩコードワードが切断され、符号化されたＴＦＣＩビットの最初の６ビットだけが送信された場合に、６ビットのコードワードを異なるＴＦＣに対して重複しないようにするためには、最大で８ビットのＴＦＣＩビットだけがＴＦＣＳ（Ｔｒａｎｓｐｏｒｔ  Ｆｏｒｍａｔ  Ｃｏｍｂｉｎａｔｉｏｎ  Ｓｅｔ；トランスポート形式の組み合わせ群）において許容される。
【００２４】
さらに、２つのＴＦＣだけが許容される場合、第一及び第二のＴＦＣ用のコードワード間の距離（すなわち、異なるビット数）が、考え得る最大数６に比して、３しかなく、復号化誤り率の増加を招く、という意味で、符号化が最適でない。これは、提案されたＵＭＴＳ符号化スキームが、３２ＴＦＣＩビットすべてが送信された場合に、最初の３２個のＴＦＣについてＴＦＣＩコードワードが直交するように、設計されているからである。これにより、最初のいくつかのＴＦＣについてはコードワード間距離がより大きな最小値となり、後続のＴＦＣについてはコードワード間距離がより小さい最小値となる、ということがなく、コードワード間距離が均一な最小値となる。コードワード間の直交性は、受信信号キャリアの位相がパイロット・ビットとは別に復元できるときには、実際には必要でない。
【００２５】
同様に、３２ビット物理層ＴＦＣＩコードワードが最初の１０ビットで切断された場合、符号化されたＴＦＣＩワードを重複させないためには１６個のＴＦＣしか可能でなく、コードワード間相互距離は、ＴＦＣが２つしか許可されない場合に再び最適でなくなる。
【００２６】
本発明に従って作られたシステムでは、より高次の層からの１０ビットＴＦＣＩワードを符号化し、無線フレームにおける使用可能ビットにマッピングする方法が、ゲート・モードにおいて、非ゲート・フレームにおいて用いられる通常の符号化及びマッピング方法と異なる。この符号化及びマッピング方法によれば、通常のコードワードを単に切断することによって得られるものよりもより広い範囲のＴＦＣについて固有のコードワードが得られるようにすることができる。したがって、通常のコードワードが単に切断された場合に比して、より多くのＴＦＣが許容される。
【００２７】
さらに、この符号化及びマッピング方法によれば、許容されるＴＦＣの数が小さいときにコードワード間のハミング距離がより大きくし、よって基本ゲート期間（Ｂａｓｉｃ  Ｇａｔｉｎｇ  Ｐｅｒｉｏｄ）における復号化誤り率を最小化するように、コードワードをアレンジすることができる。特に、この符号化及びマッピング方法によれば、コードワード間相互距離を、ゲート・モード中に２つのＴＦＣしか許容されたときに送信される（すなわち考え得る最大の）ビット数に等しくすることができる。その際、ゲート・モード用ＴＦＣは、大きなコードワード間相互距離に対応するように小さいＴＦＣ数にアレンジされる。
【００２８】
本発明の第一の実施形態において、ゲート・モード中、より高次の層からの１０ビットのＴＦＣＩワードが通常の３２、１０コードを用いて符号化されるが、所定の方法でひどくパンクチャード（ｈｅａｖｉｌｙ  ｐｕｎｃｔｕｒｅｄ）される。これは、通常の符号化スキームとの共通点が最も多いという利点を有する。このパンクチャリングは、ゲート・モード中に許容される異なるＴＦＣについての符号化されたＴＦＣＩワードが互いに高い距離を有するように設計されることが好ましい。２つのＴＦＣだけが許容されるという場合、各ＴＦＣを表す送信されるコードワード間の距離は、フレーム２１０において送信されるＴＦＣＩビット数に等しいべきである。位相情報は送信されたパイロット・ビットから得ることができるため、コードワードの分離を最大化することにより、最初の２つのＴＦＣについて送信されるコードワードを直交させるよりも、送信されるＴＦＣＩビットが少ないときの復号化性能をより信頼性の高いものとすることができる。
【００２９】
本実施形態において、１０個の基本シーケンスの一次結合が、３２、１０ブロック・コードに用いられる。出力されるコードワード・ビットｂｉ（０≦ｉ≦３１）は、
【００３０】
【数１】
2004529564.tif 000003
によって、入力されたＴＦＣＩワードａｎの情報ビットに関連付けられる。ここで、Ｍｉ，ｎは、ｎ番目の基本シーケンスである。本実施形態で用いられる基本シーケンスＭｉ，ｎの一例を図３の表に示す。考えられるＴＦＣＩワードは、１０２４個あり、順に０〜１０２３の二進数表示に割り当てられる。上述のように、この基本シーケンス群は、最初の３２個のＴＦＣについてのＴＦＣＩコードワードが直交するように選ばれる。
【００３１】
これら３２ビットのコードワードの中の異なるビットは、ＴＦＣＩ送信に利用可能な物理層ビットの数に応じて、パンクチャー（削除）することができる。送信されるコードワード間の考え得る最大距離は、多くの異なるパンクチャリング・パターンによって達成できる。実行がより容易であるという利点を有する好ましい実施形態において、より少ない数（例えば、６）の送信されるビットについての非パンクチャード・ビットは、より多い数（例えば、１０）の送信されるビットについての非パンクチャード・ビットの一部を構成する。ゲート率１／５及びゲート率１／３の双方について送信されるコードワード間の距離を最大化することに加えて、上記基準を満たすパンクチャリング・パターンは数多く存在する。このようなパンクチャリング・パターンの１つは、符号化されたビットｂｉのうち、下記表に示すビットだけを送信することによって得られる。
【００３２】
【表１】
2004529564.tif 000004
図４は、コードワード間の最小距離Ｍを上記パターンを用いてゲート・モード中に許容されるＴＦＣの数Ｎの関数として示したグラフである。ゲート率１／３のときの距離を実線で示し、ゲート率１／５のときの距離を破線で示す。図から明らかなように、ゲート・モード中に起こりやすいＴＦＣが少ない場合に最小距離が特に最適化されつつ、将来必要に応じてより多くのＴＦＣをサポートする大幅な柔軟性もある。
【００３３】
上記スキームは、ゲート・モードにおいて用いられるのに適したＴＦＣが最初のいくつかのＴＦＣＩワードによって記述されている場合に、最も良好に機能する。しかし、そのようにアレンジするのは常に可能なわけではない。この場合、標準的なコードをパンクチャリングする最も良い方法は、最初のいくつかのコードワード間の距離を最大化することを狙う代わりに、それらの間に最小距離を有するコードワード数を最小化することを狙うことである。
【００３４】
これを実現するパンクチャリング・パターンの一例は、符号化されたビットｂｉのうち、下記表に示すビットだけを送信することによって得られる。
【００３５】
【表２】
2004529564.tif 000005
図５は、コードワード間の最小距離Ｍを上記パターンを用いてＴＦＣＳ中のＴＦＣ数Ｎの関数として示したグラフである。ゲート率１／３のときの距離を実線で示し、ゲート率１／５のときの距離を破線で示す。
【００３６】
本発明の第二の実施形態において、例えば、６、１０又は１０、１０コードなどの上述のものと同様の距離特性を有するように設計された異なる符号化スキームを、ゲート・モードにおいてＴＦＣＩワードに用いる。
【００３７】
上記実施形態の向上（又は、別個の実施形態）として、ＴＦＣＳ中のＴＦＣの数は、物理層がいかなる符号化スキームを用いていてもその符号化スキームによって固有に符号化することができる最高のＴＦＣ数以下の値に制限される。例えば、図４に示す符号化スキームにおいて、ＴＦＣの数は３２以下に制限される。
【００３８】
上記実施形態の特殊な場合は、ＴＦＣの数を２に制限すると共に、例えば、最初のＴＦＣＩワードのすべての送信されるビットが０であり、２番目のＴＦＣＩワードのすべての送信されるビットが１である場合（或いは、０と１が逆の場合）などの、最初のＴＦＣＩワードのすべての送信されるビットが２番目のＴＦＣＩワードのすべての送信されるビットと異なる、という状況をもたらすパンクチャー・スキームを選ぶ、ことから得られる。これは、ＴＦＣＩフィールドをＣＲＣがゲート・モード中に存在するか否かを示す二値状態ワードとして効果的に用いる。
【００３９】
上記実施形態に代えて又は加えて用いることができる別の解決策は、ＴＦＣＩワードを送信するのに利用可能な物理層ビットの数を増やすことである。例えば、異なるスロット形式を制御チャネル上で用いることができる。より少ないパイロット・ビットを犠牲にしてスロットあたり３〜４のＴＦＣＩビットを有するＵＭＴＳ圧縮モード・スロット形式を用いることも考えられる。これは、スロットあたりのトータルのパイロット・エネルギを同じに保つためには、（送信されたスロットにおける）制御チャネルの送信電力を増加させなければならないことを意味する。しかし、これは、電力消費を低減するというゲート・モードの目的を部分的に損なう。
【００４０】
別の代替例として、各ＴＦＣＩは、２以上の無線フレーム期間にわたって送信されてもよい。例えば、各ＴＦＣＩの送信に連続した１組の無線フレームを用いると、ゲート率１／５では１２の、ゲート率１／３では２０の符号化されたＴＦＣＩビットを送信することができる。しかし、この代替例は、ＴＦＣをフレームごとに変更することができず、データの復号が可能になるまでの待ち時間が増加する、という欠点を有する。
【００４１】
本発明を、アップリンク・チャネル１２４上での低負荷サイクルのデータ送信に適用されたゲート・モードに関して説明してきたが、本発明は、ダウンリンク・チャネル１２２上での送信にも等しく適用可能である。その場合、ＢＳ１００及びＭＳ１１０の役割が上記説明とは逆にあり、ＢＳ１００が第二局の役割を担い、ＭＳ１１０が第一局の役割を担う。本明細書において、「基地局」又は「第一局」という用語は、移動局とのインターフェースとなるネットワーク・インフラの固定部分を含む意味で用いられたのは明らかである。
【００４２】
本発明の実施形態を例えばＵＭＴＳなどのスペクトラム拡散符号分割多重方式（ＣＤＭＡ）技術を用いて説明してきたが、本発明はＣＤＭＡシステムでの使用に限定されないことは明らかである。
【００４３】
本開示を読めば、当業者には他の変形例も明らかであろう。そのような変形例は、無線通信システム及びその構成部品の設計、製造、及び使用において既に知られ、ここで既に説明された特徴の代わりに又は加えて使用され得る他の特徴を含み得る。
【００４４】
本明細書及び請求項において、要素に先立つ「ａ」若しくは「ａｎ」という語は、そのような要素が複数個存在する場合を除外しない。更に、「ｃｏｍｐｒｉｓｉｎｇ（有する、含む）」という語は、リストアップされた以外の要素若しくは工程の存在を除外しない。
【図面の簡単な説明】
【００４５】
【図１】無線通信システムの概略ブロック図である。
【図２】アップリンク・パケット・データ送信に関与するチャネルの図である。
【図３】（３２、１０）ブロック・コード用の基本シーケンスを示す表である。
【図４】コードワード間の最小距離Ｍをゲート・モード中に使用可能なトランスポート形式の組み合わせの数Ｎの関数として表したグラフであり、実線はゲート率１／３のときの距離、破線はゲート率１／５のときの距離を示す。
【図５】コードワード間の最小距離Ｍをゲート・モード中のトランスポート形式の組み合わせ群におけるトランスポート形式の組み合わせの数Ｎの関数として表したグラフであり、実線はゲート率１／３のときの距離、破線はゲート率１／５のときの距離を示す。
【図４】
2004529564.tif 000006
【図５】
2004529564.tif 000007
【国際公開パンフレット】
2004529564.tif 000008
2004529564.tif 000009
2004529564.tif 000010
2004529564.tif 000011
2004529564.tif 000012
2004529564.tif 000013
2004529564.tif 000014
2004529564.tif 000015
2004529564.tif 000016
2004529564.tif 000017
2004529564.tif 000018
2004529564.tif 000019
2004529564.tif 000020
2004529564.tif 000021
2004529564.tif 000022
2004529564.tif 000023
2004529564.tif 000024
2004529564.tif 000025
2004529564.tif 000026
【国際調査報告】
2004529564.tif 000027
2004529564.tif 000028
2004529564.tif 000029